(57)【要約】【課題】  スーパーマーケットなどで買物をする場合、購入した商品が外から見えないようにした買物籠の提供。【解決手段】  この買物籠に入れた商品が外から見えないように開口７を被覆する為のカバー５を取付けたもので、一方側にはヒモ６，６を連結して容器２に止着し、他方側には縁に沿ってゴム紐８を縫い付けている。【選択図】    図３
2009261641.tif 000002
【特許請求の範囲】
【請求項１】
買物籠の上部開口を被覆する為のカバーであって、一方側には籠本体容器に取付ける為のヒモを縫い付けし、他方先端には容器の反対側上縁に係止するゴム紐を縁に沿って縫い付けたり、又は先端にカギを取付けたヒモを止着したことを特徴とする買物籠のカバー。
【請求項２】
買物籠の上部開口を被覆する為のカバーであって、一方側には籠本体容器に係止することが出来るカギを取付け、他方先端には容器の反対側上縁に係止するゴム紐を縁に沿って縫い付けたり、又は先端にカギを取付けたヒモを止着したことを特徴とする買物籠のカバー。
【請求項３】
スーパーマーケットなどで買物をする場合に使用する買物籠において、この買物籠に入れた商品が外から見えないように開口を被覆する為のカバーを取付けたことを特徴とするカバー付き買物籠。
【請求項４】
上記カバーの一方端には容器に止着するヒモを連結し、他方端にはゴム紐を縁に沿って縫い付けた請求項３記載のカバー付き買物籠。
【請求項５】
上記カバーの一方端には容器に止着するヒモを連結し、他方端には容器の対向側上縁に係止するカギを取付けた請求項３記載のカバー付き買物籠。
【請求項６】
上記カバーの一方側には容器に係止するカギを取付け、他方端にはゴム紐を縁に沿って縫い付けた請求項３記載のカバー付き買物籠。
【請求項７】
上記カバーの一方側には容器に係止するカギを取付け、他方端には容器の対向側上縁に係止するカギを先端に取付けたヒモを連結した請求項３記載のカバー付き買物籠。
【発明の詳細な説明】
【技術分野】
【０００１】
本発明はスーパーマーケットなどで買った買物を収容して持ち帰ることが出来る買物籠及び該買物籠に取付けるカバーに関するものである。
【背景技術】
【０００２】
スーパーマーケットやコンビニで買物をする場合、入口付近に置いてある買物籠が使用され、この買物籠に購入する商品を入れることが出来、これらの商品はレジで精算して買物袋に詰めて持ち帰るようにしている。ところで、この買物袋は薄いビニール製であるが、家に持ち帰ったところで用がなくなり、毎日ゴミとして処分される。この数量(枚数)は全国レベル、及び世界レベルで捉えると膨大な数量に成ることから、近年では環境保護のために独自の買物袋の使用が推奨されている。
【０００３】
実開平６−３００５４号に係る「スーパーマーケット用買い物袋」は、スーパーマーケットで使用されている買い物かごにピッタリかぶせられることが出来る形状の買い物袋である。
そこで、底部が広くスーパーマーケットの買い物かごの内に添わせて入れることができ、買い物かごの外側まで折り返しができる。そして、横ひもが付いていて防水性があり、折りたたむとコンパクトになる。
【０００４】
ところで、この「スーパーマーケット用買い物袋」は材質が違うだけで、あくまでも従来のビニール製の買物袋のようなものであって、その形状は安定せず、その為に収容した商品の形が崩れてしまう場合もある。時には割れたり、折れたりする場合もある。そして、スーパーマーケットに置いてある専用の買物籠にセットしなくてはならず、この点も面倒である。
【０００５】
特開２００１−８７０２２号に係る「手提げバッグ」は、買い物かごに対する着脱が容易であり、ビニール袋を用いずに精算済みの商品をそのまま収納できる手提げバッグである。
上面が開口するバッグ本体と、バッグ本体の開口縁に止着される筒状布とから成っている。バッグ本体は、長方矩形状の底面部の長辺縁に側面部、短辺縁に両側面部に連なる襠部が連設され、両側面部には、上方へ突出する手提げが取り付けられている。筒状布は、バッグ本体の開口部に合わせた周長さを有し、下面の開放縁はバッグ本体の開口縁に止着され、上面の開放縁には紐通し孔が一周形成され、そして紐通し孔には開放部を窄めるための締め紐が挿通されている。
この手提げバックはバッグ本体と筒状布を有しているが、実開平６−３００５４号に係る「スーパーマーケット用買い物袋」と基本形態は同じである。
【０００６】
さらに、実用新案登録第３１１１６０３号に係る「買い物用バッグ」は、サイズの多少異なる複数の買い物かごに適用させて使用することができ、また、携帯性に優れた多機能型の買い物用バッグである。
全体が折り畳み変形自在な薄い布またはシートからなる買い物用バッグであって、有底の袋本体の側周部に手提げ帯を取り付けるとともに、袋本体の上端開口縁に鍔状布を取付けてなり、この鍔状布は袋本体を買い物かごの中に配置してかご周縁に被せることのできる大きさとし、袋本体は、外袋と内袋とからなる二重構造であって、袋本体の側周部の一部に外袋と内袋との間を止着して上端が開口する内ポケットを形成し、内ポケットの上端縁に外付けポケットを取り付けている。
【０００７】
この買物用バックの具体的な形態は違っているが、上記「スーパーマーケット用買い物袋」と基本構造は共通している。
【特許文献１】実開平６−３００５４号に係る「スーパーマーケット用買い物袋」
【特許文献２】特開２００１−８７０２２号に係る「手提げバッグ」
【特許文献３】実用新案登録第３１１１６０３号に係る「買い物用バッグ」
【発明の開示】
【発明が解決しようとする課題】
【０００８】
このように従来の買物袋には上記のごとき問題がある。本発明が解決しようとする課題はこの問題点であり、買物商品が割れたり、崩れたりしないように安定して収容することが出来、そして購入した商品が他人に見えないようにするカバー付きの買物籠(買物バスケット)を提供する。又、買物籠に簡単に取付けることが出来るカバーを提供する。
【課題を解決するための手段】
【０００９】
本発明に係るカバー付き買物籠(買物バスケット)は、籠本体とカバーで構成している。籠本体は樹脂製の籠であり、従来からスーパーマーケットにて使用されている買物籠と基本形態は共通している。そして、籠本体には門形(コ形)の持ち手が取付けられ、各持ち手は籠本体の上縁に設けた軸を中心として回動し、籠本体の上縁に沿って倒れることが出来る。
【００１０】
籠本体は上部が開口した容器であり、開口の周囲に形成した上縁はそのコーナーが円弧を成した概略四角形と成っている。そして該開口には布やビニールなどで構成したシート状のカバーが取付けられている。該カバーはその一方側が籠本体に止着されて開口を被覆することが出来る。その為に、他方側には上縁に係止出来るように伸縮可能なチューブ、又はカギを備えている。
【発明の効果】
【００１１】
本発明に係るカバー付き買物籠は、籠本体にカバーを取付けたものであり、該籠本体はプラスチック製の剛体である為に、買物した商品を収容してもその形状は変化せず、商品の一部が変形して崩れたり、割れたりすることはない。スーパーマーケット等の買物籠を使って買物した商品を本発明の買物籠にレジで移し変えてそのまま持ち帰ることが出来る。又は、スーパーマーケット専用の買物籠を使用しないで、本発明の買物籠(マイバスケット)にて買物商品を入れることも出来る。
【００１２】
この場合、籠本体にはカバーが取付けられている為に、購入した商品は該カバーにて被覆され、如何なる商品を購入しても他人の目を気にすることはない。そして、持ち運びに際しても持ち手が備わっている為に、従来のビニール製の買物袋と違って持運び易い。一方、スーパーマーケット専用の買物籠を使用する場合には、この買物籠に携帯している本発明のカバーを取付けて買物をすることも出来る。さらに、カバーにて開口を被覆すると共に、多くの商品を買って開口から盛り上がる場合には、カバーをすることで買物籠から商品が落下することがない。
【実施例】
【００１３】
図１は本発明の買物籠を構成する籠本体１を示す具体例であり、図２はこの籠本体１の上部開口７に被覆されるカバー５を示す実施例を表している。籠本体１はプラスチック製の容器２と持ち手４ａ，４ｂから成り、該持ち手４ａ，４ｂは対を成して容器２の上縁３に取付けられている。この籠本体１はスーパーマーケット等で従来から買物籠として使用されているものとその基本構造は共通している。
【００１４】
容器２はその上部に開口７を有し、開口７の周囲には上縁３を形成し、対向する上縁３，３に跨って門形(コ形)の持ち手４ａ，４ｂが回動可能に取付けられている。持ち手４ａ，４ｂは上縁３に設けた軸１２ａ，１２ｂに軸支されて回動することが出来、上縁３に沿って倒れることが出来る。客は２つの持ち手４ａ，４ｂを図１のように起立させて握ることで籠本体１を持つことが出来る。
【００１５】
そして、図２に示すカバー５は布製又はビニール製であって、その一方端には２本のヒモ６，６を縫い付けしている。又、他方端部にはＡからＢにかけてゴム紐８が縫い付けられている。従って、Ａ−Ｂにかけての長さは伸縮することが出来、その為に籠本体１の容器２の上縁３には適当に伸縮することで係止して取付けられる。
【００１６】
図３は籠本体１の上部開口７にカバー５を取付けた場合の縦断面図を示している。カバー５に縫い付けているヒモ６，６は容器２の側面に結んで止着し、他方端部のＡ−Ｂにかけて縫い付けているゴム紐８は反対側側面上端に形成している上縁３に係止することが出来る。ゴム紐８は伸縮可能である為に該上縁３に係止して外れることはないが、購入した商品が見えないように被覆するだけであれば必ずしも上縁３に係止する必要はない。
【００１７】
上記カバー５は容器２の開口７を被覆して、購入して容器内に入れた商品が外から見えないようにしている。そして、多くの商品を購入した際には容器２の上部開口７から重ね合った商品が盛り上がるが、このような場合でもゴム紐８が上縁３に係止出来るように、ヒモ６，６が伸縮可能なようにゴム紐とすればよい。
【００１８】
又、上記ゴム紐８に代わってカバー５の先端にカギを取付け、このカギを上縁３に係止することも可能である。図４は本発明に係るカバー５を示す他の実施例である。このカバー５には一方端にカギ９，９を取付けていて、他方端にはゴム紐１０，１０を縫い付けし、このゴム紐１０，１０の先端にカギ１１，１１を取着した形態と成っている。従って、カギ９，９を一方側の上縁３に係止し、開口７を被覆して他方のカギ１１，１１を反対側の上縁３に係止することが出来る。この際、開口７から盛り上がって商品が積み重ねられている場合には、カギ１１，１１を先端に取着しているゴム紐１０，１０は伸びることができる。
【００１９】
ところで、客がスーパーマーケットで買物をする場合、通常通り入口付近に置いてある買物籠を持ち歩いて必要な商品を籠本体１の容器２に入れる。この際、本発明のカバー付き買物籠を別に持ち歩くことになるが、別々でなく一般には重ねて持ち歩くことが可能である。カートを使用する場合には、該カートの台に載せることが出来る。
【００２０】
一方、自分の買物籠を使用して買物することも可能であり、この場合には、前記図４に示すカバー５を持ち歩き、レジで精算した後でこのカバーを買物籠に取付けて持ち帰ることが出来る。このカバー５はカギ９，９を籠本体１の容器２に係止して取付け、反対側のカギ１１，１１を上縁３に係止出来る為に、その取付け操作は簡単である。
【図面の簡単な説明】
【００２１】
【図１】本発明のカバー付き買物籠を構成する籠本体。
【図２】本発明に係る買物籠のカバー。
【図３】カバーが上部開口に取付けられた場合の断面図。
【図４】カバーを示す別の実施例。
【符号の説明】
【００２２】
１  籠本体
２  容器
３  上縁
４  持ち手
５  カバー
６  ヒモ
７  開口
８  ゴム紐
９  カギ
10  ゴム紐
11  カギ
12  軸
【図１】
2009261641.tif 000003
【図２】
2009261641.tif 000004
【図３】
2009261641.tif 000005
【図４】
2009261641.tif 000006